(57)【要約】【課題】チューブ容器を箱体に収納した場合のがたつきを無くすと共にチューブ容器の変形を防止する保護具を提供する。【解決手段】箱体３０に収納するチューブ容器２０に被せる保護具１Ａが、板紙の両側縁部２、３において、内面と外面とが重ね合わさり、帯状に貼着されて筒状体に成形されたものからなる。この保護具１Ａでは、両側縁部２、３の貼着部の上端部において、一方の板紙に切欠部４が形成され、筒状体の対向面同士が貼着され、上端シール部５が形成されている。【選択図】図１
2007145414.tif 000002
【特許請求の範囲】
【請求項１】
箱体に収納するチューブ容器に被せる保護具であって、板紙が両側縁部において、内面と外面とが重ね合わさり、帯状に貼着されて筒状体に成形されてなり、
貼着部の上端部において、一方の板紙が切り欠かれ、筒状体の対向面同士が貼着されて上端シール部が形成されている保護具。
【請求項２】
上端シール部より下方の筒状体側面に窓が開口している請求項１記載の保護具。
【請求項３】
筒状体側面に、パッチテスト用に複数の剤を混合するための凹みが設けられ、複数の剤の撹拌棒となる細片を切り取れるように切断誘導線が設けられている請求項１又は２記載の保護具。
【請求項４】
請求項１〜３のいずれかに記載の保護具が、チューブ容器に、該チューブ容器のかしめ部が保護具の上端シール部側に位置するように被せられ、箱体に収容されている包装体。
【請求項５】
チューブ容器がアルミニウム製である請求項４記載の包装体。
【発明の詳細な説明】
【技術分野】
【０００１】
本発明は、箱体に収納するチューブ容器に被せる保護具に関する。
【背景技術】
【０００２】
従来、チューブ容器をその包装用の箱体にがたつき無く収納するため、がたつきの原因となる余剰空間を埋める種々の繊維状又はチップ状の緩衝材や、チューブ容器を収納する箱体自体に、チューブ容器のがたつきを無くす押さえを組み立てたものが使用されている。また、プラスチック板等の板材の一端に切れ目を入れて複数の舌片を形成し、舌片でチューブ容器のかしめ部側を挟持するようにした緩衝材が提案されている（特許文献１）。
【０００３】
【特許文献１】特許第３２９３１３３号
【発明の開示】
【発明が解決しようとする課題】
【０００４】
しかしながら、繊維状又はチップ状の緩衝材は、その包装体の開封時に散らかりやすい。
【０００５】
押さえを組み立てられるようにした箱体は、展開図が複雑であり、その組み立て作業が繁雑である。さらに、チューブ容器の大きさが変更された場合に、容易には対応することができない。
【０００６】
板材の一端に複数の舌片を形成した緩衝材は、簡便に使用することができ、チューブ容器の大きさの変更にも容易に対応することができるが、チューブ容器を収納した箱体に落下等により大きな力が加わった場合や、搬送中に激しい振動が加わった場合には、チューブ容器自体が変形することがある。特に、ヘアカラーの第１剤を充填したチューブ容器と第２剤を充填したボトル容器が一つの箱体に収納される場合には、チューブ容器の周りに大きな余剰空間ができるので、チューブ容器に変形が起こりやすく、この場合にチューブ容器がアルミニウム製であると、かしめ部が折れ曲がり、金属疲労により容器に穴が開くおそれもある。
【０００７】
これに対し、本発明は、チューブ容器を箱体に収納した場合のがたつきを無くすと共にチューブ容器の変形を防止することができ、簡便に使用することができる保護具を提供することを目的とする。
【課題を解決するための手段】
【０００８】
本発明者は、板紙の両側縁部を重ね合わせて貼着し、その上端部にシール部を形成した筒状体をチューブ容器に被せ、この場合にチューブ容器のかしめ部を筒状体のシール部側に位置させると、箱体内でのチューブ容器のがたつきを防止できると共に、かしめ部も含めてチューブ容器の側面を保護することができ、落下や激しい振動に対してチューブ容器の変形を防止できること、さらに、この筒状体の製造に際し、両側縁部の貼着によって上端部のシール部も形成されるようにすると、上端部にシール部を有する筒状体を極めて簡便に得られることを見出した。
【０００９】
即ち、本発明は、箱体に収納するチューブ容器に被せる保護具であって、板紙が両側縁部において、内面と外面とが重ね合わさり、帯状に貼着されて筒状体に成形されてなり、
貼着部の上端部において、一方の板紙が切り欠かれ、筒状体の対向面同士が貼着されて上端シール部が形成されている保護具を提供する。
【発明の効果】
【００１０】
本発明の保護具によれば、チューブ容器を収納した箱体内でチューブ容器ががたつくことを防止でき、かつ、かしめ部も含めてチューブ容器の側面を保護することができる。したがって、チューブ容器を収納した箱体が落下したり、激しい振動を受けたりした場合でも、チューブ容器の変形を防止することができる。
【００１１】
さらに、本発明の保護具は、極めて簡便に製造することができ、箱体やチューブ容器の大きさの変更にも容易に対応することができる。
【発明を実施するための最良の形態】
【００１２】
以下、図面を参照しつつ、本発明を詳細に説明する。なお、各図中、同一符号は同一又は同等の構成要素を表している。
【００１３】
図１は、本発明の一実施例の保護具１Ａの正面図（ａ）と背面図（ｂ）であり、図２はその展開図であり、図３は保護具１Ａを被せたチューブ容器の正面斜視図（ａ）と背面斜視図（ｂ）であり、図４は保護具１Ａを被せたチューブ容器をボトル容器と共に箱体に収納した状態の透視図である。
【００１４】
この保護具１Ａは筒状体をなしており、その製造に際しては、略矩形の板紙を、筒状体の軸方向に平行な屈曲線９で折り曲げ、その板紙の一方の側縁部２の内面（筒状体の内側面）と他方の側縁部３の外面（筒状体の外側面）とを重ね合わせ、一方の側縁部２の内面に塗布しておいた接着剤Ａによって両側縁部２、３を軸方向に帯状に貼着したものである。
【００１５】
ここで、重ね合わせの下側（筒状体の内側）となる側縁部３の上端部には切欠部４が形成されている。そのため、重ね合わせの上側（筒状体の外側）にある側縁部２の切欠部４に対応する部分は、貼着時にその部分と対向する筒状体の内側面と貼着し、保護具１Ａの上端部に上端シール部（濃いドットで塗りつぶした部分）５が形成されている。
【００１６】
保護具１Ａを、チューブ容器２０に、そのかしめ部２１が保護具１Ａの上端シール部５側に位置するように被せることにより、チューブ容器２０が保護具１Ａ内で不要に動くことを規制し、かつ、かしめ部２１の変形を防止することができる。また、このように上端シール部５を形成することにより、一度の貼着作業で板紙の両側縁部２、３の貼着と上端シール部５の形成を同時に行うことができるので、保護具１Ａの製造工程を極めて簡便にすることができる。
【００１７】
保護具１Ａの長手方向の上端シール部５の長さ（即ち、切欠部４の長さ）Ｌ1 は、チューブ容器２０を箱体３０に収納した場合の長手方向の余剰空間の距離Ｌ0 に応じて、チューブ容器２０のがたつきを防止できるように適宜定められる。
【００１８】
一方、保護具１Ａ自体の長手方向の長さＬ2 は、保護具１Ａをチューブ容器２０に被せた場合に、少なくともかしめ部２１が保護具１Ａで覆われるようにする限り特に制限はなく、本実施例では、チューブ容器２０の長さの半分程度が保護具１Ａで覆われるようにしている。
【００１９】
保護具１Ａの側面には、上端シール部５よりも下方に窓６が打ち抜かれ、開口している。本発明において窓６は必要に応じて設けられが、窓６を設けることにより、保護具１Ａをチューブ容器２０に被せた場合のチューブ容器２０の先端の位置を視認でき、所期の位置にチューブ容器が入っているか否かを確認できるので好ましい。また、チューブ容器２０のかしめ部２１にロット番号２２が付してある場合には、チューブ容器２０に保護具１Ａを被せた状態でロット番号２２を確認することができるので好ましい。
【００２０】
なお、保護具１Ａを被せるチューブ容器２０や、保護具１Ａを被せたチューブ容器２０を収納する箱体３０の素材や構造には特に制限はないが、本発明の保護具１Ａによれば、チューブ容器２０を箱体３０に収納した場合のがたつきを無くすだけでなく、チューブ容器２０の変形を防止できる。したがって、本発明の保護具１Ａは、変形によりかしめ部２１が金属疲労で損傷しやすいアルミニウム製のチューブ容器２０に対して、特に顕著な効果を発揮する。
【００２１】
また、保護具１Ａを被せてチューブ容器２０を箱体３０に収納するにあたり、その箱体３０には必要に応じて他の容器を収納してもよく、チューブ容器単独を収納してもよい。
【００２２】
本発明の保護具１Ａは、種々の態様を取ることができる。例えば、図５の保護具１Ｂのように、上端部の一部又は全部に筒状体の表裏面を貼着したシール部７を追加してもよい。
【００２３】
図６の保護具１Ｃは図７の展開図を有し、図１の保護具１Ａにおいて、板紙の両側縁部２、３の貼着部が保護具１Ｃの中央部に位置するように板紙に屈曲線９を設け、両側部を折り畳んだものである。このように折り畳むと、上端シール部５を保護具１Ｃの幅方向の中央部に形成することができる。
【００２４】
図８の保護具１Ｄは、図１の保護具１Ａにおいて、チューブ容器２０の全長が保護具で覆われるように保護具を長尺に形成したものである。この場合、保護具１Ｄを被せたチューブ容器２０の保護具１Ｄからの取り出しを容易にするため、保護具１Ｄの下端部に切欠部８を設けることが好ましい。
【００２５】
図９の保護具１Ｅは図１０の展開図を有し、図１の保護具１Ａにおいて、切欠部４を、重なり合う板紙の両側縁部２、３のうち上側（筒状体の外側）となる側縁部２の上端部に設け、接着剤Ａを、切欠部４を有する側縁部２の内面に塗布すると共に、他方の側縁部３の上端部の内面にも塗布し、両側縁部２、３を重ね合わせた場合に、これらの接着剤による貼着部が一条の帯状となるようにしたものである。このように貼着部を一条の帯状とすることにより、両側縁部２、３が重ね合わさった部分の貼着部と上端シール部５とを一度の帯状の押圧により形成することが可能となる。
【００２６】
この他、本発明の保護具としては、上述した各保護具において、板紙を屈曲線９できっちりと折り畳むことなく、板紙を湾曲させ、筒状に成形してもよい。
【００２７】
図１１の保護具１Ｆは、その側面に、パッチテスト用に複数の剤を混合するための凹み１０を設け、複数の剤の撹拌棒１１となる細片１２を切り取って形成できるように、ミシン目、半切り線等の切断誘導線１３と折れ線１４を設けたものである。図１２に示すように、細片１２を切り離し、折れ線１４に沿って折り曲げ、撹拌棒１１を作ると、この撹拌棒１１を用いて凹み１０で複数の剤を混合し、パッチテストを行うことができる。ここで、凹み１０は、エンボス加工により形成することができ、その直径は１０〜３０ｍｍ程度、深さは０．１〜０．４ｍｍ程度とすることが好ましい。
【００２８】
薬事法により、ヘアカラー等の皮膚に直接塗布する化粧品には、皮膚に塗布する前に毎回パッチテストを行うことが必要である旨の表示が義務づけられている。そこで、２剤又は３剤を１箱中に収納した２剤式染毛剤や３剤式染毛剤の製品においては、パッチテスト用に２剤又は３剤を混合するボードや混合に使用する撹拌棒が付属品として剤と共に梱包されているが、チューブ容器２０の保護具にパッチテスト用のボードとなる凹み１０や撹拌棒１１となる細片１２を作り込むことにより、これらを付属品として梱包することが不要となる。さらに、パッチテスト用の凹み１０や細片１２をチューブ容器２０の保護具１Ｆに設けることにより、それらは容易に消費者の目にとまるようになるので、消費者にパッチテストの実施を促すためにも好ましい。
【産業上の利用可能性】
【００２９】
本発明の保護具は、箱体に収納したチューブ容器のがたつきや破損を防止するための緩衝材ないし保護部材として有用である。特に、折り曲げによる金属疲労によりかしめ部が破損しやすいアルミニウム製のチューブ容器の保護具として有用である。
【図面の簡単な説明】
【００３０】
【図１】保護具１Ａの正面図と背面図である。
【図２】保護具１Ａの展開図である。
【図３】保護具１Ａを被せたチューブ容器の正面斜視図（ａ）と背面斜視図（ｂ）である。
【図４】保護具１Ａを被せたチューブ容器をボトル容器と共に箱体に収納した状態の透視図である。
【図５】保護具１Ｂの正面図と背面図である。
【図６】保護具１Ｃの正面図と背面図である。
【図７】保護具１Ｃの展開図である。
【図８】保護具１Ｄを被せたチューブ容器の正面斜視図である。
【図９】保護具１Ｅの正面図と背面図である。
【図１０】保護具１Ｅの展開図である。
【図１１】保護具１Ｆを被せたチューブ容器の正面斜視図（ａ）と背面斜視図（ｂ）である。
【図１２】保護具１Ｆをパッチテストに使用する場合の説明図である。
【符号の説明】
【００３１】
１Ａ、１Ｂ、１Ｃ、１Ｄ、１Ｅ、１Ｆ      保護具
２      板紙の側縁部
３      板紙の側縁部
４      切欠部
５      上端シール部
６      窓
７      シール部
８      切欠部
９      屈曲線
１０      凹み
１１      撹拌棒
１２      細片
１３      切断誘導線
１４      折れ線
２０      チューブ容器
２１      かしめ部
２２      ロット番号
３０      箱体
Ａ      接着剤
【図１】
2007145414.tif 000003
【図２】
2007145414.tif 000004
【図３】
2007145414.tif 000005
【図４】
2007145414.tif 000006
【図５】
2007145414.tif 000007
【図６】
2007145414.tif 000008
【図７】
2007145414.tif 000009
【図８】
2007145414.tif 000010
【図９】
2007145414.tif 000011
【図１０】
2007145414.tif 000012
【図１１】
2007145414.tif 000013
【図１２】
2007145414.tif 000014